(57)【要約】【課題】外部からの指示により車両周辺の画像データおよび車両位置情報を収集することができる盗難防止装置を提供する。【解決手段】車両周辺の画像を撮影して画像データを得る撮影部１０と、車速データ、方位データまたは測位衛星データを収集し処理する車両センサ処理部１２と、外部からの指示を通信部１４を介して受けて撮影部１０および車両センサ処理部１２を起動し、画像データおよび車両現在位置情報を収集する中央処理部１１と、収集した画像データおよび車両現在位置情報をモデム１３を通して外部に送信する通信部１４とを備えて構成される。【選択図】　　図１
2004122936.tif 000002
【特許請求の範囲】
【請求項１】
現在位置を算出する位置算出手段と、周辺および内部の画像を収集する撮影手段と、外部からの指示によって前記位置算出手段及び前記撮影手段を起動する起動手段と、前記位置算出手段が算出した前記現在位置及び前記撮影手段が収集した前記画像を前記外部に送信する通信手段とを備えた盗難防止装置。
【請求項２】
前記位置算出手段は、測位衛星、車速、方位の少なくともいずれか一つの測位データに基づいて現在位置を算出する請求項１に記載の盗難防止装置。
【請求項３】
音声出力手段を備え、前記外部から前記通信手段を介して送信された音声を前記音声出力手段で出力する請求項１に記載の盗難防止装置。
【請求項４】
音声入力手段を備え、前記音声入力手段で入力された音声を前記通信手段を介して前記外部へ出力する請求項１に記載の盗難防止装置。
【発明の詳細な説明】
【０００１】
【発明の属する技術分野】
本発明は、車両に搭載され、車両等の盗難を防止し、盗まれた場合には車両の所在の追跡を行う盗難防止装置に関するものである。
【０００２】
【従来の技術】
従来、盗難防止装置としては、車両異常検知手段により車両に揺れが生じると撮影手段で画像撮影を行い、中央処理手段にて画像データを収集し、そして、収集した画像データをモデムや電話機を使用して外部の警察署や自宅に送信するようにしたものが知られている（例えば、特許文献１参照）。
【０００３】
【特許文献１】
特開平１０―２３０８２０号公報（第３−４頁、図１）
【０００４】
図４は、従来の盗難防止装置の構成を示すブロック図である。図４において従来の盗難防止装置は、車両周囲の画像を撮影する撮影部４０と、収集した画像を処理し、送信するための中央処理部４１と、車両に不当な揺れが加わったことを検知する車両異常検知部４２と、画像データを送信する際に外部と通信を行うモデム４３と、外部の通信網と接続するための電話機４４および電話機４４に付属するアンテナ４５とから構成されており、車両異常検知部４２により車両に揺れが生じると撮影部４０で画像撮影を行い、中央処理部４１にて画像データを収集する。さらに収集した画像データをモデム４３および電話機４４を使用して外部の警察署や自宅に送信している。
【０００５】
【発明が解決しようとする課題】
しかしながら、従来の盗難防止装置においては、ユーザーが車両にキーを付けたまま車両を離れてしまったような場合、あらかじめ盗難防止機能が有効になっていない場合に盗難に遭うと追跡できないという問題があった。
【０００６】
本発明は、上記従来の問題を解決するためになされたもので、ユーザーが車両にキーを付けたまま車両を離れてしまったような場合でも外部から盗難防止装置を操作できるようにし、さらに、車両の盗難を防止しつつも盗まれてしまった場合には車両の所在を追跡できる盗難防止装置を提供することを目的とする。
【０００７】
【課題を解決するための手段】
本発明の盗難防止装置は、現在位置を算出する位置算出手段と、周辺および内部の画像を収集する撮影手段と、外部からの指示によって前記位置算出手段及び前記撮影手段を起動する起動手段と、前記位置算出手段が算出した前記現在位置及び前記撮影手段が収集した前記画像を前記外部に送信する通信手段とを備えた構成を有する。
【０００８】
この構成により、盗難防止モードに入っていなくても外部から通信手段を介して盗難防止装置に対して指示を与えて撮影手段および現在位置算出手段を起動するのでバッテリーの消耗を最小限に抑えることができ、また撮影手段および現在位置算出手段により収集した画像データおよび現在位置情報を外部に送信することができるので盗難に遭っても追跡することが可能であると同時に盗難に係る証拠を手にすることができる。
【０００９】
また本発明の盗難防止装置は、請求項１に記載の盗難防止装置において前記位置算出手段は、測位衛星、車速、方位の少なくともいずれか一つの測位データに基づいて現在位置を算出する構成を有する。
【００１０】
この構成により、現在位置情報を外部に送信することができるので盗難に遭っても追跡することが可能である。
【００１１】
また本発明の盗難防止装置は、請求項１に記載の盗難防止装置において音声出力手段を備え、前記外部から前記通信手段を介して送信された音声を前記音声出力手段で出力する構成を有する。
【００１２】
この構成により、外部から車両内に対して監視下である旨の「追跡しているぞ」などの音声情報を流すことができるため、盗難を防止することができる。
【００１３】
また本発明の盗難防止装置は、請求項１に記載の盗難防止装置において音声入力手段を備え、前記音声入力手段で入力された音声を前記通信手段を介して前記外部へ出力する構成を有する。
【００１４】
この構成により、装置が搭載される車内の音あるいは会話を外部で聴取することができるため、盗難に係る状況を把握することができる。
【００１５】
【発明の実施の形態】
以下、本発明の実施の形態について、図面を用いて説明する。
【００１６】
（第１の実施の形態）
図１は、本発明の第１の実施の形態に係る盗難防止装置の構成を示すブロック図である。図１において本発明の第１の実施の形態に係る盗難防止装置は、車両周辺の画像を撮影して画像データを得る撮像手段としての撮影部１０と、車速データ、方位データまたは測位衛星データを収集し処理する位置算出手段としての車両センサ処理部１２と、外部からの指示を通信部１４を介して受けて撮影部１０および車両センサ処理部１２を起動し、画像データおよび車両現在位置情報を収集する起動手段としての中央処理部１１と、収集した画像データおよび車両現在位置情報をモデム１３を通して外部に送信する通信手段としての通信部１４とを備えて構成される。なお、撮影部１０は、車内の様子を撮影できる小型のカメラであっても良い。
【００１７】
以上のように構成された本発明の第１の実施の形態に係る盗難防止装置について、図１を用いてその動作を説明する。
【００１８】
まず、外部から盗難防止装置に指示を与えるために電話を掛ける。外部から掛かってきた電話はアンテナ１５を介して通信部１４で着信し、受信した指示データはモデム１３を通して中央処理部１１に送られる。中央処理部１１は撮影部１０および車両センサ処理部１２を起動し、撮影部１０に対して画像データ収集のための撮影指示を与え、撮影部１０は車内やその周辺の様子を撮影し、得られた画像データを中央処理部１１で収集し、また、車両センサ処理部１２は、車両に搭載された車速センサ（図示せず）、方位センサ（図示せず）、測位衛星センサ（図示せず）から車速データ、方位データ、測位衛星データを取得して処理し、処理した車速データ、方位データ、測位衛星データを中央処理部１１に送り、中央処理部１１は車両の現在位置情報を収集する。
【００１９】
このようにして得られた画像データおよび車両の現在位置情報は中央処理部１によってモデム１３を通して通信部１４から外部にデータ送信される。
【００２０】
このように本発明の第１の実施の形態に係る盗難防止装置は、盗難防止モードに入っていなくても外部から通信手段を介して盗難防止装置に対して指示を与えて撮影手段および現在位置算出手段を起動するのでバッテリーの消耗を最小限に抑えることができ、また撮影手段および現在位置算出手段により収集した画像データおよび車両現在位置情報を外部に送信することができるので盗難に遭っても追跡することが可能であると同時に盗難に係る証拠を手にすることができる。
【００２１】
（第２の実施の形態）
図２は、本発明の第２の実施の形態に係る盗難防止装置の構成を示すブロック図である。図２において本発明の第２の実施の形態に係る盗難防止装置は、車両周辺の画像を撮影して画像データを得る撮像手段としての撮影部２０と、車速データ、方位データおよび測位衛星データを収集して処理する位置算出手段としての車両センサ処理部２２と、外部からの指示を通信部２４を介して受けて撮影部２０および車両センサ処理部２２を起動し、画像データおよび車両現在位置情報を収集する起動手段としての中央処理部２１と、収集した画像データおよび車両現在位置情報をモデム２３を通して外部に送信する通信手段としての通信部２４と、中央処理部２１により制御され外部から送信された音声情報を車両内に流す音声出力手段としての音声出力部２６とを備えて構成される。
【００２２】
以上のように構成された本発明の第２の実施の形態に係る盗難防止装置について、図２を用いてその動作を説明する。
【００２３】
まず、外部から盗難防止装置に指示を与えるために電話を掛ける。外部から掛かってきた電話はアンテナ２５を介して通信部２４で着信し、受信した指示データはモデム２３を通して中央処理部２１に送られる。中央処理部２１は撮影部２０および車両センサ処理部２２を起動し、撮影部２０に対して画像データ収集のための撮影指示を与え、撮影部２０は車内やその周辺の様子を撮影し、得られた画像データを中央処理部２１で収集し、また、車両センサ処理部２２は、車両に搭載された車速センサ（図示せず）、方位センサ（図示せず）、測位衛星センサ（図示せず）から車速データ、方位データ、測位衛星データを取得して処理し、処理した車速データ、方位データ、測位衛星データを中央処理部２１に送り、中央処理部２１は車両の現在位置情報を収集する。
【００２４】
このようにして得られた画像データおよび車両の現在位置情報は中央処理部２１によってモデム２３を通して通信部２４から外部にデータ送信される。さらに、外部から電話等で提供された音声情報を音声出力部２６を通して車内に流す。
【００２５】
以上のように本発明の第２の実施の形態に係る盗難防止装置は、外部から車両内に対して監視下である旨の「追跡しているぞ」などの音声情報を流すことができるため、盗難を防止することができる。
【００２６】
（第３の実施の形態）
図３は、本発明の第３の実施の形態に係る盗難防止装置の構成を示すブロック図である。図３において本発明の第３の実施の形態に係る盗難防止装置は、車両周辺の画像を撮影して画像データを得る撮像手段としての撮影部３０と、車速データ、方位データ、測位衛星データを収集し処理する位置算出手段としての車両センサ処理部３２と、外部からの指示を受けて撮影部３０および車両センサ処理部３２を起動し、画像データおよび車両位置情報を収集する起動手段としての中央処理部３１と、収集した画像データおよび車両位置情報をモデム３３を通して外部に送信する通信手段としての通信部３４と、中央処理部３１により制御され外部から送信された音声情報を車両内に流す音声出力手段としての音声出力部３６と、中央処理部３１により制御され車両内の音声又は会話を入力して外部に音声情報を伝達する音声入力手段としての音声入力部３７とを備えて構成される。
【００２７】
以上のように構成された本発明の第３の実施の形態に係る盗難防止装置について、図３を用いてその動作を説明する。
【００２８】
まず、外部から盗難防止装置に指示を与えるために電話を掛ける。外部から掛かってきた電話はアンテナ３５を介して通信部３４で着信し、受信した指示データはモデム３３を通して中央処理部３１に送られる。中央処理部３１は撮影部３０および車両センサ処理部３２を起動し、撮影部３０に対して画像データ収集のための撮影指示を与え、撮影部３０は車内やその周辺の様子を撮影し、得られた画像データを中央処理部３１で収集し、また、車両センサ処理部３２は、車両に搭載された車速センサ（図示せず）、方位センサ（図示せず）、測位衛星センサ（図示せず）から車速データ、方位データ、測位衛星データを取得して処理し、処理した車速データ、方位データ、測位衛星データを中央処理部３１に送り、中央処理部３１は車両の現在位置情報を収集する。
【００２９】
このようにして得られた画像データおよび車両の位置情報は中央処理部３１によってモデム３３を通して通信部３４から外部にデータ送信される。
【００３０】
また、中央処理部３１の制御の元で外部から電話等で提供された音声情報を音声出力部３６を通して車内に流す。さらに、中央処理部３１の制御の元で音声入力部３７を通して得た車内の音声や会話等の音声情報を電話等を介して外部で聴取する。
【００３１】
以上のように本発明の第３の実施の形態に係る盗難防止装置は、装置が搭載される車内の音あるいは会話を外部で聴取することができるため、盗難に係る状況を把握することができる。
【００３２】
【発明の効果】
以上のように本発明によれば、盗難防止モードに入っていなくても外部から通信手段を介して盗難防止装置に対して指示を与えて撮影手段および現在位置算出手段を起動するのでバッテリーの消耗を最小限に抑えることができ、また撮影手段および現在位置算出手段により収集した画像データおよび車両現在位置情報を外部に送信することができるので盗難に遭っても追跡することが可能であると同時に盗難に係る証拠を手にすることができるという効果を有する。
【図面の簡単な説明】
【図１】本発明の第１の実施の形態に係る盗難防止装置の構成を示すブロック図
【図２】本発明の第２の実施の形態に係る盗難防止装置の構成を示すブロック図
【図３】本発明の第３の実施の形態に係る盗難防止装置の構成を示すブロック図
【図４】従来の盗難防止装置の構成を示すブロック図
【符号の説明】
１０、２０、３０、４０　撮影部
１１、２１、３１、４１　中央処理部
１２、２２、３２　車両センサ処理部
１３、２３、３３、４３　モデム
１４、２４、３４　通信部
１５、２５、３５、４５　アンテナ
２６、３６　音声出力部
３７　音声入力部
４２　車両異常検知部
４４　電話機
【図１】
2004122936.tif 000003
【図２】
2004122936.tif 000004
【図３】
2004122936.tif 000005
【図４】
2004122936.tif 000006